(57)【要約】【課題】簡素な機構でありながら、電源がオフされた状態で記録用紙が交換された場合でも、トレイに収容された記録用紙のサイズを確実に検知することが可能な手段を提供すること。【解決手段】給紙カセット７８のメイントレイ２０の上部に、スライド可能なスライドガイド３４及び検知機構１００が設けられている。検知機構１００は、収容された記録用紙のサイズに応じて回転量が異なる第１回転子１０７及び第２回転子１０８と、これらの回転に応じて回転位置が異なる回転盤１０５とを有する。回転盤１０５は、光センサ１０２の光路を遮断可能な２つの遮光部を有している。各回転子はスライドガイドがメイントレイ２０の上部でスライドすることによって動かされる。この動きに連動して回転盤が回転するが、この際に、回転盤は光センサの光を遮断又は通過させる。このときの信号レベルの変化に基づいて記録用紙のサイズが判定される。【選択図】図５
2011068446.tif 000002
【特許請求の範囲】
【請求項１】
装置本体に対して挿抜可能に構成され、第１サイズの第１被記録媒体と該第１サイズよりも幅の大きい第２サイズの第２被記録媒体のいずれかを収容可能なトレイと、
上記トレイの上側に回転可能に設けられ、上記第１被記録媒体又は上記第２被記録媒体の有無に応じて異なる回転位置に配置される回転体と、
光を出射する発光素子と該発光素子からの光を受光可能な受光素子とを有する光学センサと、
上記回転体の回転動作に連動して移動し、上記回転体の回転位置に応じて上記発光素子から上記受光素子に至る光路を遮断する検出体と、
電源が投入されたときに、駆動力を与えて上記検出体を移動させることによって変化する上記光学センサの出力信号に基づいて、上記トレイに収容された被記録媒体のサイズを判定する判定制御部と、
を具備する画像記録装置。
【請求項２】
上記検出体は、移動方向へ所定間隔を隔てて配置された第１遮光部及び第２遮光部を有し、
上記回転体は、上記第１被記録媒体が収容された上記トレイが装置本体に装着されると上記第１遮光部が上記光学センサの光路に配置される第１回転位置まで回転し、上記第２被記録媒体が収容された上記トレイが装置本体に装着されると上記第１遮光部が上記光学センサの光路を通過した後に上記第２遮光部が上記光学センサの光路に配置される第２回転位置まで回転するよう構成されている請求項１に記載の画像記録装置。
【請求項３】
上記回転体は、装置本体から上記トレイが脱抜されると、上記光学センサの光路が上記第１遮光部及び上記第２遮光部のいずれにも遮光されない第３回転位置まで回転するよう構成されており、
上記判定制御部は、上記回転体が上記第３回転位置に配置されたときの上記光学センサの出力信号に基づいて、上記トレイが未装着であることを判定する請求項２に記載の画像記録装置。
【請求項４】
上記回転体は、上記トレイにおける上記第１被記録媒体の収容領域に対応する位置に配置された第１回転子と、上記第１被記録媒体の収容領域外であり且つ上記第２被記録媒体の収容領域に対応する位置に配置された第２回転子とを有し、
上記第１回転子及び上記第２回転子は、上記回転体の回転方向へ所定角度ずらされた状態で上記回転体に固定されている請求項１から３のいずれかに記載の画像記録装置。
【請求項５】
上記トレイは、当該トレイに収容された被記録媒体の幅方向の端部を位置決めするサイドガイドを有し、
上記サイドガイドは、上記第１被記録媒体が収容された上記トレイが装置本体に装着された状態で上記回転体を支持する第１支持部と、上記第２記録媒体が収容された上記トレイが装置本体に装着された状態で上記回転体を上記第１支持部よりも高い位置で支持する第２支持部とを有する請求項１から３のいずれかに記載の画像記録装置。
【請求項６】
上記第１支持部は上記サイドガイドの側面に設けられた突起片であり、上記第２支持部は上記サイドガイドの上端部である請求項５に記載の画像記録装置。
【請求項７】
上記トレイの上部に設けられ、上記トレイが装置本体に装着された状態で上記回転体から離間した第１位置と上記回転体の下側に配置される第２位置との間で移動可能であり、且つ、上記第２位置に配置された状態で画像記録済の被記録媒体を搬送するための搬送路の少なくとも一部を形成するガイド部材を更に備え、
上記判定制御部は、電源が投入されたときに、駆動力を与えて上記ガイド部材を第１位置から第２位置へ移動させることにより上記回転体を介して上記検出体を回転させることによって変化する上記光学センサの出力信号に基づいて、上記トレイに収容された被記録媒体のサイズを判定する請求項１から６のいずれかに記載の画像記録装置。
【発明の詳細な説明】
【技術分野】
【０００１】
本発明は、装置本体に対して挿抜可能に支持されたトレイを有する画像記録装置に関する。
【背景技術】
【０００２】
従来より、用紙サイズ検知機構を備えた給紙装置（特許文献１参照）が公知である。この給紙装置は、給紙カセットに収容された記録用紙の側端を規制する規制部材を有している。規制部材が所定方向へ移動されると、規制部材に設けられた２つのアームが規制部材の移動に応じて、給紙カセットの側壁の開口からカセット外部へ突出又は後退する。カセット外部には２つの検知部材が配置されており、上記開口から突出した各アームの先端部をそれぞれ検知する。規制部材の移動位置によって各アームの突出状態が異なり、この突出状態を検知部材で検知することで、用紙サイズを検知することができる。
【先行技術文献】
【特許文献】
【０００３】
【特許文献１】特開平８−４０５７０号公報
【発明の概要】
【発明が解決しようとする課題】
【０００４】
上述した従来の装置は、複数の検知部材によって記録用紙のサイズを検知するものであるため、装置の製造コストが高くなるという問題がある。
【０００５】
ところで、記録用紙の端部を規制する規制ガイド（サイドガイド又は後端ガイド）とエンコーダとを利用して、記録用紙のサイズを検知する手法が知られている。この手法では、規制ガイドの位置に応じてエンコーダの回転量が異なるように給紙カセットを構成することで、給紙カセット挿入時のエンコーダ信号に基づいて規制ガイドの位置を測定することができ、その位置に応じた用紙サイズを検知することができる。しかしながら、この手法では、電源オフした状態で記録用紙の交換が行われると、エンコーダ信号を得ることができないため、記録用紙のサイズを検知することができないという問題が生じる。
【０００６】
そこで、本発明は上記問題に鑑みてなされたものであり、その目的は、簡素な機構でありながら、電源がオフされた状態で記録用紙が交換された場合でも、トレイに収容された記録用紙のサイズを確実に検知することが可能な手段を提供することにある。
【課題を解決するための手段】
【０００７】
(1)  本発明は、トレイと、回転体と、光学センサと、検出体と、判定制御部と、を具備する画像記録装置として構成されている。トレイは、装置本体に対して挿抜可能に構成されている。このトレイは、第１サイズの第１被記録媒体と該第１サイズよりも幅の大きい第２サイズの第２被記録媒体のいずれかを収容可能である。回転体は、上記トレイの上側に回転可能に設けられている。この回転体は、上記第１被記録媒体又は上記第２被記録媒体の有無に応じて異なる回転位置に配置される。光学センサは、光を出射する発光素子と該発光素子からの光を受光可能な受光素子とを有する。検出体は、上記回転体の回転動作に連動して移動し、上記回転体の回転位置に応じて上記発光素子から上記受光素子に至る光路を遮断する。判定制御部は、電源が投入されたときに、駆動力を与えて上記検出体を移動させることによって変化する上記光学センサの出力信号に基づいて、上記トレイに収容された被記録媒体のサイズを判定する。
【０００８】
第１被記録媒体が収容されたトレイが装着されると、回転体は第１被記録媒体に応じた回転位置に配置される。このとき、検出体は、上記回転体の回転動作に連動して移動する。これにより、検出体は、第１被記録媒体に応じた位置、つまり第１被記録媒体に応じて回転した上記回転体の回転位置に応じた位置まで移動する。
【０００９】
一方、第２被記録媒体が収容されたトレイが装着されると、回転体は第２被記録媒体に応じた回転位置に配置される。このとき、検出体は、上記回転体の回転動作に連動して移動するが、上記第１被記録媒体又は上記第２被記録媒体に応じて回転体の回転位置が異なるため、検出体の移動位置は、第１被記録媒体が収容された場合に比べて異なる。
【００１０】
判定制御部は、電源が投入されたときに、検出体に駆動力を与えて検出体を移動させる。上述したように、移動前の検出体の位置は、第１被記録媒体が収容された場合と第２被記録媒体が収容された場合とで異なる。したがって、検出体を移動させることによって得られる光学センサの出力信号は、トレイに収容される被記録媒体のサイズによって異なる。このため、判定制御部は、光学センサの出力信号の違いを判別することによって、当該出力信号に対応する被記録媒体のサイズを判定することができる。
【００１１】
(2)  上記検出体は、移動方向へ所定間隔を隔てて配置された第１遮光部及び第２遮光部を有する。上記回転体は、上記第１被記録媒体が収容された上記トレイが装置本体に装着されると上記第１遮光部が上記光学センサの光路に配置される第１回転位置まで回転する。また、上記回転体は、上記第２被記録媒体が収容された上記トレイが装置本体に装着されると上記第１遮光部が上記光学センサの光路を通過した後に上記第２遮光部が上記光学センサの光路に配置される第２回転位置まで回転するよう構成されている。
【００１２】
これにより、トレイに第１被記録媒体が収容されている場合と第２被記録媒体が収容されている場合とにおいて、電源が投入された後に判定制御部が検出体を移動させたときの光学センサの出力信号が異なる。
【００１３】
(3)  上記回転体は、装置本体から上記トレイが脱抜されると、上記光学センサの光路が上記第１遮光部及び上記第２遮光部のいずれにも遮光されない第３回転位置まで回転するよう構成されている。この場合、上記判定制御部は、上記回転体が上記第３回転位置に配置されたときの上記光学センサの出力信号に基づいて、上記トレイが未装着であることを判定する。
【００１４】
これにより、トレイに収容された被記録媒体のサイズのみならず、装置本体におけるトレイの有無の判定が可能となる。
【００１５】
(4)  上記回転体は、上記トレイにおける上記第１被記録媒体の収容領域に対応する位置に配置された第１回転子と、上記第１被記録媒体の収容領域外であり且つ上記第２被記録媒体の収容領域に対応する位置に配置された第２回転子とを有するものが考えられる。上記第１回転子及び上記第２回転子は、上記回転体の回転方向へ所定角度ずらされた状態で上記回転体に固定されている。
【００１６】
これにより、第１被記録媒体又は第２被記録媒体の有無に応じて異なる回転位置に回転体が配置される。
【００１７】
(5)  上記トレイは、当該トレイに収容された被記録媒体の幅方向の端部を位置決めするサイドガイドを有する。上記サイドガイドは、上記第１被記録媒体が収容された上記トレイが装置本体に装着された状態で上記回転体を支持する第１支持部と、上記第２記録媒体が収容された上記トレイが装置本体に装着された状態で上記回転体を上記第１支持部よりも高い位置で支持する第２支持部とを有する。
【００１８】
このような構成でも、第１被記録媒体又は第２被記録媒体の有無に応じて異なる回転位置に回転体が配置される。
【００１９】
(6)  上記第１支持部は上記サイドガイドの側面に設けられた突起片であり、上記第２支持部は上記サイドガイドの上端部であることが好ましい。
【００２０】
これにより、簡易な構成で上記回転体の回転位置が定まる。
【００２１】
(7)  本発明の画像記録装置は、上記トレイの上部に設けられ、上記トレイが装置本体に装着された状態で上記回転体から離間した第１位置と上記回転体の下側に配置される第２位置との間で移動可能であり、且つ、上記第２位置に配置された状態で画像記録済の被記録媒体を搬送するための搬送路の少なくとも一部を形成するガイド部材を更に備える。この場合、上記判定制御部は、電源が投入されたときに、駆動力を与えて上記ガイド部材を第１位置から第２位置へ移動させることにより上記回転体を介して上記検出体を回転させることによって変化する上記光学センサの出力信号に基づいて、上記トレイに収容された被記録媒体のサイズを判定することが好ましい。
【発明の効果】
【００２２】
本発明によれば、検知手段として一つの光学センサだけを有する構成において、電源がオフされた状態で記録用紙が交換された場合でも、トレイに収容された記録用紙のサイズを確実に検知することができる。
【図面の簡単な説明】
【００２３】
【図１】図１は、本発明の実施形態の一例である複合機１０の外観斜視図である。
【図２】図２は、プリンタ部１１の内部構造を模式的に示す縦断面図である。
【図３】図３は、排紙路６５Ｂ付近の構成を示す部分拡大断面図である。
【図４】図４は、給紙カセット７８の構成を模式的に示す平面図である。
【図５】図５は、記録用紙が収容されていないときの検知機構１００の状態を示す図であって、（Ａ）は平面図であり、（Ｂ）及び（Ｃ）は矢視Vの断面図である。
【図６】図６は、Ａ４サイズの記録用紙が収容されたときの検知機構１００の状態を示す図であって、（Ａ）は平面図であり、（Ｂ）及び（Ｃ）は矢視VIの断面図である。
【図７】図７は、Ａ３サイズの記録用紙が収容されたときの検知機構１００の状態を示す図であって、（Ａ）は平面図であり、（Ｂ）及び（Ｃ）は矢視VIIの断面図である。
【図８】図８は、記録用紙の有無に応じた光学センサ１０２の出力信号の波形を示す波形図である。
【図９】図９は、本実施形態の変形例に係る回転プレート１２０の周辺機構を説明するための模式図である。
【発明を実施するための形態】
【００２４】
以下、適宜図面を参照して、本発明の好ましい実施形態について説明する。なお、以下に説明される実施形態は本発明の一例にすぎず、本発明の要旨を変更しない範囲で、本発明の実施形態を適宜変更できることは言うまでもない。
【００２５】
［複合機１０の概略］
図１は、本発明の第１実施形態である複合機１０の外観斜視図である。なお、以下の説明においては、複合機１０が使用可能に設置された状態（図１の状態）を基準として上下方向７を定義し、開口１３が設けられている側を手前側（正面）として前後方向８を定義し、複合機１０を手前側（正面）から見て左右方向９を定義する。
【００２６】
複合機１０は、高さ（上下方向７の長さ）に対して横幅（左右方向９の長さ）及び奥行き（前後方向８の長さ）が大きい薄型の直方体に概ね形成されている。複合機１０は、主に、下部に設けられたインクジェット記録方式のプリンタ部１１と、上部に設けられたスキャナ部１２とを一体的に備えた多機能装置である。複合機１０は、ファクシミリ機能、プリンタ機能、スキャナ機能、及び、コピー機能などの各種の機能を有している。プリンタ機能としては、記録用紙の表面（第１面）及び裏面（第２面）の両面に画像を記録する両面画像記録機能を有している。なお、プリンタ機能以外の機能は任意であり、例えば、スキャン機能やコピー機能、ファクシミリ機能を有しないプリンタ機能のみを有するプリンタとして本発明の画像記録装置が実施されてもよい。
【００２７】
プリンタ部１１は、正面に開口１３が形成されたケーシング（筐体）１４（本発明の装置本体の一例）を有する。ケーシング１４内にプリンタ部１１の各構成要素が配置されている。開口１３からケーシング１４の内部側へ連続するように収容室が区画されており、この収容室に給紙カセット７８が装着されている。この給紙カセット７８は、開口１３からケーシング１４内に前後方向８（水平方向）に挿抜可能に構成されている。給紙カセット７８は、Ａ３サイズの記録用紙（Ａ３用紙）やＡ４サイズの記録用紙（Ａ４用紙）等の各種サイズの記録用紙（本発明の被記録媒体の一例）を収容可能なメイントレイ２０（本発明のトレイの一例）と、メイントレイ２０の上側でスライド可能に支持されたスライドガイド３４（本発明のガイド部材の一例）とを有する。なお、給紙カセット７８の構成については後段で詳述する。
【００２８】
［プリンタ部１１の構成］
次に、図２を参照しながら、プリンタ部１１の構成について説明する。図２は、プリンタ部１１の内部構造を模式的に示す縦断面図である。なお、図２では、Ａ４サイズの記録用紙が収容された状態が示されている。
【００２９】
プリンタ部１１は、給紙カセット７８と、給紙カセット７８から記録用紙をピックアップして給紙（給送）する給送部１５と、給送部１５によって給紙された記録用紙にインク滴を吐出して記録用紙に画像を形成するインクジェット記録方式の記録部２４と、経路切換部４１と、外部に排出された記録済みの記録用紙を保持する排紙トレイ７９と、検知機構１００と、プリンタ部１１の動作を制御する制御部１３０（本発明の判定制御部の一例、図４参照）を備えている。これらの各構成要素がケーシング１４内に設けられている。なお、記録部２４は、インクジェット方式に限られず、電子写真方式、或いは感熱記録方式など、種々の記録方式のものが適用可能である。また、排紙トレイ７９は、給紙カセット７８と一体に構成されていてもよく、或いはプリンタ部１１のフレームなどに固定されたものであってもよい。また、制御部１３０は、ＣＰＵなどの演算素子やＲＯＭ又はＲＡＭなどの記憶素子を有する周知の演算装置であるため、本明細書では詳細な説明を省略する。
【００３０】
［搬送路６５］
プリンタ部１１の内部には、メイントレイ２０の先端（後方側の端部）から記録部２４を経て排紙トレイ７９に至る搬送路６５が形成されている。搬送路６５は、メイントレイ２０の先端から記録部２４に至る間に形成された湾曲路６５Ａと、記録部２４から排紙トレイ７９に至る間に形成された排紙路６５Ｂとに区分される。
【００３１】
図２に示されるように、湾曲路６５Ａは、メイントレイ２０に設けられた分離傾斜板２２の上端付近から記録部２４に渡って延設された湾曲状の通路である。この湾曲路６５Ａは、所定間隔を隔てて互いに対向する外側ガイド部材１８及び内側ガイド部材１９によって区画されている。外側ガイド部材１８及び内側ガイド部材１９は、プリンタ部１１の内部側を中心とする円弧形状に概ね形成されている。なお、外側ガイド部材１８及び内側ガイド部材１９、更に、後述する上側ガイド部材８２、下側ガイド部材８３、上側傾斜ガイド部材３２、下側傾斜ガイド部材３３は、いずれも、図２の紙面垂直方向（図１の左右方向９）へ延びている。
【００３２】
排紙路６５Ｂは、記録部２４よりも搬送方向の下流側（以下「下流側」と略称する。）に設けられた下側ガイド部材８２と上側ガイド部材８３とによって区画されている。ここで、搬送方向とは、記録用紙が搬送路６５及び後述する反転搬送路６７を搬送される向き（図２において矢印付きの二点鎖線で示される向き）を指す。
【００３３】
図３は、排紙路６５Ｂ付近の構成を示す部分拡大断面図である。図３に示されるように、下側ガイド部材８２は、後述する第２搬送ローラ６２及び拍車ローラ６３のニップ位置から前方側（図３の紙面右側）へ水平に延出されている。排紙路６５Ｂは、第２搬送ローラ６２によって搬送された画像記録済の記録用紙の下面を支持しつつ、下流側へ案内する。下側ガイド部材８２の下流側端部よりも下流側に分岐口３６が形成されている。両面画像記録の際は、排紙路６５Ｂを搬送された記録用紙は、分岐口３６よりも下流側でスイッチバックされた後に、分岐口３６から下方へ向けて搬送される。
【００３４】
下側ガイド部材８２には、前後方向８に長い細幅の凹部８５が形成されている。この凹部８５は、下側ガイド部材８２の下流側端部に形成されている。凹部８５は、前後方向８に長い細幅形状に形成されおり、その下流側は分岐口３６に開放されている。凹部８５のサイズ及び位置は、後述する補助ローラ４７が凹部８５の内部に没入可能に設計されている。
【００３５】
上側ガイド部材８３は、下側ガイド部材８２の上方に配置されている。上側ガイド部材８３と下側ガイド部材８２とは、記録用紙が通過可能な所定間隔を隔てて互いに対向するように配置されている。上側ガイド部材８３は、分岐口３６を超えて、排紙トレイ７９の上方まで延出されている。
【００３６】
［反転搬送路６７］
図２に示されるように、プリンタ部１１の内部には、反転搬送路６７が形成されている。反転搬送路６７は、分岐口３６で排紙路６５Ｂから分岐され、給紙カセット７８とその上方に配置された記録部２４との間を通って、記録部２４よりも搬送方向の上流側（以下「上流側」と略称する。）の合流部に接続されている。なお、合流部は、湾曲路６５Ａの始端（上流側の端部）と反転搬送路６７の終端（下流側の端部）とが合流する部分である。
【００３７】
反転搬送路６７は、分岐口３６から後方斜め下向きに傾斜する傾斜面を有する上側傾斜ガイド部材３２と、下側傾斜ガイド部材３３とによって区画されている。本実施形態では、上側傾斜ガイド部材３２と下側傾斜ガイド部材３３とによって、反転搬送路６７の一部、詳細には、分岐口３６側の傾斜路６７Ａが区画されている。上側傾斜ガイド部材３２と下側ガイド部材８２とは一体に形成されている。ガイド部材３２，３３は、記録用紙が通過可能な所定間隔を隔てて互いに対向するように配置されている。上側傾斜ガイド部材３２は，下側傾斜ガイド部材３３よりも上方に配置されている。これらのガイド部材３２，３３は、分岐口３６から下方へ延出されており、より詳細には、後方斜め下向きへ延出されている。
【００３８】
また、反転搬送路６７は、給紙カセット７８に設けられた後述のスライドガイド３４によっても区画される。図２において破線で示される案内位置にスライドガイド３４が配置されたときに、スライドガイド３４の上面によって、反転搬送路６７の一部、詳細には、湾曲路６５Ａ側の直線状の直線路６７Ｂが区画される。スライドガイド３４については後述する。
【００３９】
このように搬送路６５及び反転搬送路６７が形成されているため、給送部１５によってメイントレイ２０から給紙された記録用紙は、湾曲路６５Ａを通って、記録部２４へ搬送される。この搬送過程において、記録用紙は、外側ガイド部材１８及び内側ガイド部材１９によって、給送部１５の給紙ローラ２５が当接した面とは反対の面が記録部２４と対向するように反転される。記録部２４を通過した記録用紙は、排紙路６５Ｂを通って排紙トレイ７９へ搬送されるか、或いは、経路切換部４１によって搬送経路が切り換えられて、反転搬送路６７を通って再び記録部２４へ搬送される。なお、経路切換部４１については後述する。
【００４０】
［記録部２４］
図２に示されるように、記録部２４は、給紙カセット７８の上方に配置されている。記録部２４は、図２の紙面垂直方向（主走査方向）に延出されたガイドレール（不図示）に沿って往復動するように構成されている。記録部２４の下方にプラテン４２が設けられている。プラテン４２は、記録部２４によって画像記録が行われる際に、記録用紙を水平に支持するものである。記録部２４は、主走査方向への往復移動過程において、図示しないインクカートリッジから供給されたインクをノズル３９から微小なインク滴としてプラテン４２上を搬送される記録用紙に吐出する。これにより、記録用紙に画像が記録される。
【００４１】
湾曲路６５Ａの終端と記録部２４との間、つまり、湾曲路６５Ａにおける下流側の端部と記録部２４との間には、第１搬送ローラ６０及びピンチローラ６１が設けられている。これらは対をなしている。ピンチローラ６１は、第１搬送ローラ６０の下方に配置されており、図示しないバネなどの弾性部材によって第１搬送ローラ６０のローラ面に圧接されている。第１搬送ローラ６０及びピンチローラ６１は、湾曲路６５Ａを搬送してきた記録用紙を挟持してプラテン４２上へ送る。
【００４２】
また、記録部２４と排紙路６５Ｂの始端との間、つまり、記録部２４と排紙路６５Ｂにおける上流側の端部との間には、第２搬送ローラ６２及び拍車ローラ６３が設けられている。これらは対をなしている。拍車ローラ６３は、第２搬送ローラ６２の上方に配置されており、自重若しくはバネなどによって第２搬送ローラ６２のローラ面に圧接されている。第２搬送ローラ６２及び拍車ローラ６３は、記録済みの記録用紙を挟持してさらに下流側（排紙トレイ７９側）へ搬送する。
【００４３】
第１搬送ローラ６０及び第２搬送ローラ６２は、搬送用モータ（不図示）から駆動伝達機構（不図示）を介して回転駆動力が伝達されて回転される。第１搬送ローラ６０及び第２搬送ローラ６２は、画像記録時に間欠駆動される。そのため、記録用紙は、所定の改行幅で送られながら画像記録がなされる。本実施形態では、後述する第３搬送ローラ４５を正回転方向又は逆回転方向へ回転させる回転駆動力も上記搬送用モータから供給される。そのため、第１搬送ローラ６０及び第２搬送ローラ６２への駆動伝達機構の一例として、遊星ギヤなどを有し、上記搬送用モータが正回転方向又は逆回転方向のいずれに回転されても、記録用紙を一方向（図２の右側）へ搬送させるべく、第１搬送ローラ６０及び第２搬送ローラ６２を一回転方向へ回転させる機構が考えられる。なお、第１搬送ローラ６０及び第２搬送ローラ６２の駆動源と第３搬送ローラ４５の駆動源とが別々に設けられている場合は、上記駆動伝達機構は、上記遊星ギヤを含む構成に限られない。
【００４４】
［給送部１５］
給送部１５は、記録部２４と給紙カセット７８との間に設けられている。給送部１５は、給紙カセット７８に収容された記録用紙を湾曲路６５Ａへ向けて搬送するためのものであり、給紙ローラ２５と、給紙アーム２６と、駆動伝達機構２７とを備えている。給紙ローラ２５は、給紙カセット７８のメイントレイ２０に収容された記録用紙をピックアップして湾曲路６５Ａへ給紙するものであり、給紙アーム２６の先端に回転自在に軸支されている。給紙ローラ２５は、駆動源の一例である給紙用モータ（不図示）の回転力が駆動伝達機構２７を介して伝達されると回転駆動される。なお、駆動伝達機構２７は、給紙アーム２６に軸支されており、概ね給紙アーム２６の延出方向に沿って直線状に並ぶ複数のギヤで構成されている。
【００４５】
記録部２４と給紙カセット７８との間に基軸２８が設けられている。給紙アーム２６は、その基端部が基軸２８に支持されており、基軸２８を回動中心軸として回転可能に構成されている。このため、給紙アーム２６は、メイントレイ２０に対して接離可能に上下動することができる。また、給紙アーム２６は、自重により又はバネ等の弾性部材による弾性力により、図２の矢印２９の方向へ回動付勢されている。このため、給送ローラ２５は、例えばメイントレイ２０に収容された記録用紙の上面に圧接可能である。また、スライドガイド３４が案内位置（図２の破線で示される位置）に配置されているときは、給送ローラ２５は、スライドガイド３４に載置された記録用紙の上面に圧接可能である。給紙アーム２６は、給紙カセット７８がプリンタ部１１に対して挿入される際に、給紙カセット７８の後端部（例えば、分離傾斜板２２）に押圧されることによって、上方へ押し上げられるように構成されている。また、スライドガイド３４が図２に示される初期位置から上記案内位置へスライド移動する際に、スライドガイド３４の後端部に押圧されることによって、上方へ押し上げられるように構成されている。
【００４６】
［経路切換部４１］
図３を参照しながら、経路切換部４１について説明する。経路切換部４１は、排紙路６５Ｂにおける分岐口３６、すなわち排紙路６５Ｂと反転搬送路６７との接続部分付近に配置されている。経路切換部４１は、図３に示されるように、第３搬送ローラ４５と、拍車ローラ４６と、補助ローラ４７及び補助ローラ４８を有するフラップ４９とにより構成されている。
【００４７】
第３搬送ローラ４５は、記録部２４よりも下流側であって、更に下側ガイド部材８２よりも下流側に設けられている。第３搬送ローラ４５と下側ガイド部材８２との間に分岐口３６が形成されている。第３搬送ローラ４５は、プリンタ部１１のフレームなどに回転可能に支持されている。拍車ローラ４６は、第３搬送ローラ４５の上方に配置されており、自重若しくはバネなどによって第３搬送ローラ４５のローラ面に圧接されている。この拍車ローラ４６は、上側ガイド部材８３の下流側端部に回転可能の支持されている。第３搬送ローラ４５は、搬送用モータ（不図示）から正逆回転方向の駆動力が伝達されて、正回転方向又は逆回転方向に回転駆動される。例えば、片面記録が行われる場合は、第３搬送ローラ４５は正回転方向へ回転される。これにより、記録用紙は第３搬送ローラ４５及び拍車ローラ４６に挟持されて下流側へ搬送され、排紙トレイ７９に排紙される。一方、両面記録が行われる場合は、第３搬送ローラ４５及び拍車ローラ４６が記録用紙の後端部を挟持した状態で、第３搬送ローラ４５の回転方向が正回転方向から逆回転方向へ切り換えられる。
【００４８】
第３搬送ローラ４５及び拍車ローラ４６は、第２搬送ローラ６２及び拍車ローラ６３から送られた記録用紙を挟持するものである。第３搬送ローラ４５及び拍車ローラ４６のニップ部に記録用紙が進入すると、記録用紙は第３搬送ローラ４５及び拍車ローラ４６によって挟持されつつ、第３搬送ローラ４５の回転方向に対応する方向（排紙トレイ７９側、又は、反転搬送路６７側）へ搬送される。つまり、第３搬送ローラ４５及び拍車ローラ４６は、記録用紙を排紙路６５Ｂに沿ってさらに下流側（排紙トレイ７９側）へ搬送可能であるとともに、記録用紙を反転搬送路６７へ搬送可能である。
【００４９】
上側ガイド部材８３に、図３の紙面垂直方向（図１の左右方向９）へ延びる支軸８７が設けられている。支軸８７は、分岐口３６よりも上流側に設けられている。支軸８７にフラップ４９における上流側の基端部４９Ａが軸支されている。フラップ４９は、支軸８７から概ね下流側へ延出されている。フラップ４９における延出端部４９Ｂは、分岐口３６の上方、詳細には、分岐口３６の中央３６Ａを超えて第３搬送ローラ４５に近接した位置に達している。
【００５０】
フラップ４９の基端部４９Ａ側には、その延出方向に隔てられた補助ローラ４７及び補助ローラ４８が軸支されている。補助ローラ４７は、フラップ４９の基端部４９Ａ側に軸支されている。補助ローラ４８は、フラップ４９の延出端部４９Ｂに軸支されている。これらの補助ローラ４７，４８のローラ面は、記録用紙の記録面に当接されるので、拍車ローラ６３及び拍車ローラ４６と同様に拍車状に形成されている。
【００５１】
フラップ４９は、下側ガイド部材８２よりも上方に位置する排出姿勢（図３（Ｂ）に示される姿勢）と、延出端部４９Ｂが分岐口３６よりも下方へ進入する反転姿勢（図３（Ａ）に示される姿勢）との間で回動する。なお、本実施形態では、上側ガイド部材８３には、フラップ４９が没入可能な開口８９が形成されており、フラップ４９は、上記排出姿勢にあるときに開口８９に没入して、排紙路６５Ｂから退避する。また、上記反転姿勢にあるときは、フラップ４９は開口８９から露出されて、補助ローラ４８が下側傾斜ガイド部材３３に当接する。また、補助ローラ４７が下側ガイド部材８２の凹部８５に没入されることにより、補助ローラ４７が下側ガイド部材８２の支持面８２Ｂよりも下方に退避する。
【００５２】
［給紙カセット７８］
図２に示されるように、給紙カセット７８は、給送部１５の下方に設けられている。給紙カセット７８のメイントレイ２０は、プリンタ部１１の底側に配置されている。メイントレイ２０は、Ａ３サイズ（２９７ｍｍ×４２０ｍｍ）、Ｌｅｔｔｅｒサイズ（２１６ｍｍ×２７４ｍｍ）、リーガルサイズ（２１６ｍｍ×３５６ｍｍ）、Ａ４サイズ（２１０ｍｍ×２９７ｍｍ）、及びこれらのサイズよりも小さい葉書サイズやＬ判サイズ、名刺サイズの記録用紙を収容可能である。
【００５３】
［メイントレイ］
図４に示されるように、メイントレイ２０は、記録用紙が載置される底板５４と、底板５４の左右方向９の両端部それぞれから立設された側板５５と、底板５４の後方側の端部に立設された分離傾斜板２２とを有している。このメイントレイ２０は、上面が開放された概ね矩形箱状に構成されている。この開放された上面は、記録用紙をメイントレイ２０に挿入するための挿入口である。分離傾斜板２２は、記録用紙を円滑に給紙可能なように後方側へ傾倒している。分離傾斜板２２の内面２２Ａには図示しない複数の歯が突出している。そのため、仮に複数の記録用紙が重なった状態で給紙されても、分離傾斜板２２の内面２２Ａに記録用紙の先端が当接したときに上記歯によって最上位の記録用紙だけが分離されて湾曲路６５Ａへ給紙される。
【００５４】
メイントレイ２０は一対のサイドガイド６９（本発明のサイドガイドの一例）を有する。サイドガイド６９は、底板５４の上面に設けられている。サイドガイド６９は、メイントレイ２０に収容された記録用紙の側端（幅方向の両端部）を記録用紙のサイズに応じた位置に規制することにより、メイントレイ２０における記録用紙の位置を幅方向の位置決めするためのものである。本実施形態では、一対のサイドガイド６９は、メイントレイ２０に収容された記録用紙の幅方向の中央位置を予め定められた基準位置（例えば、メイントレイ２０の幅方向の中央）に一致させるように規制する。このように、記録用紙の幅方向の中央位置を基準位置に一致させるように記録用紙を規制することは、一般に、センターレジと呼ばれている。
【００５５】
一対のサイドガイド６９は、メイントレイ２０の幅方向（給紙方向に直交する方向）へスライド可能に支持されている。一対のサイドガイド６９で囲まれた領域に記録用紙が収容される。メイントレイ２０に記録用紙が収容された状態で、サイドガイド６９が中央側へスライドされると、サイドガイド６９の垂直壁７０が記録用紙の側端に当接して、当該側端を規制しつつ記録用紙を位置決めする。なお、一対のサイドガイド６９のスライド機構としては、底板５４に設けられたピニオンと各サイドガイド６９に設けられたラックとにより構成される周知の連動スライド機構が採用される。これにより、一方がスライドされると他方がその動作に連動してスライドする。
【００５６】
図４に示されるように、メイントレイ２０の底板５４に前後方向８に延びる溝１２６と溝１２７とが設けられている。溝１２６は、後述する第１回転子１０７に対応する位置に設けられており、溝１２７は、後述する第２回転子１０８に対応する位置に設けられている。メイントレイ２０に記録用紙が収容されていない状態で、第１回転子１０７の先端が溝１２６に入り込み、第２回転子１０８の先端が溝１２７に入り込む（図５（Ｂ）参照）。なお、少なくとも１枚の記録用紙がメイントレイ２０に存在する場合は、第１回転子１０７又は第２回転子１０８は溝１２６，１２７に入り込まず、記録用紙Ｓ３の上面に当接した姿勢を維持する。
【００５７】
［スライドガイド３４］
メイントレイ２０の上側にスライドガイド３４が設けられている。このスライドガイド３４は、メイントレイ２０の上部で前後方向８にスライド可能に支持されている。本実施形態では、図２に示されるように、メイントレイ２０の前方側に配置される初期位置（本発明の第１位置に相当）と、図２において破線で示されるように、上記初期位置から後方へ離間した案内位置（本発明の第２位置に相当）との間でスライド移動可能である。なお、案内位置は、スライドガイド３４の後端部３４Ａが分離傾斜板２２に近接する位置であり、当該案内位置において、スライドガイド３４は反転搬送路６７を搬送されてきた画像記録済の記録用紙を湾曲路６５Ａへ案内する。また、上記初期位置は、後述する検知機構１００の第１回転子１０７及び第２回転子１０８からスライドガイド３４の後端部３４Ａが前方側へ離間して第１回転子１０７及び第２回転子１０８をメイントレイ２０側へ降下させることが可能な位置である。
【００５８】
メイントレイ２０に対するスライドガイド３４のスライド支持機構としては、例えば、メイントレイ２０の側板５５の上端に設けられたレール（不図示）と、スライドガイド３４に設けられたレール溝（不図示）とから構成される周知のスライド支持機構が考えられる。なお、このスライド支持機構についての説明は省略する。
【００５９】
本実施形態では、図示しない搬送用モータから駆動伝達機構を介して駆動力がスライドガイド３４に伝達される。これにより、スライドガイド３４は、前後方向８のうち、駆動力が付与された向きへスライド移動する。例えば、反転搬送路６７へ記録用紙が搬送される際には、初期位置にあるスライドガイド３４に後方への駆動力が伝達されて、スライドガイド３４は案内位置まで移動される。そして、反転搬送路６７から湾曲路６５Ａへ記録用紙が案内されると、前方への駆動力が伝達されて、スライドガイド３４は案内位置から初期位置まで移動される。また、複合機１０に電源が投入された際には、スライドガイド３４に駆動力が伝達されて、スライドガイド３４に対して一定の準備動作が行われる。具体的には、電源投入後にスライドガイド３４が初期位置に移動された後に案内位置へ移動され、その後、再び初期位置に戻される。このようなスライドガイド３４の移動制御は、制御部１３０や搬送用モータのドライバ（不図示）などによって行われる。
【００６０】
スライドガイド３４が上記初期位置（図２及び図５（Ｂ）参照）に配置された状態では、メイントレイ２０の後方側の上面が開放される。このとき、給送ローラ２５がスライドガイド３４で支持されなくなり、メイントレイ２０側へ下降して、メイントレイ２０に収容された記録用紙に当接する。この状態で、給送ローラ２５が回転されると、メイントレイ２０に収容された記録用紙が湾曲路６５Ａへ向けて給紙される。また、スライドガイド３４が上記初期位置に配置された状態では、後述する検知機構１００の回転子１０７，１０８もスライドガイド３４で支持されなくなり、メイントレイ２０側へ下降する（図５（Ｂ）参照）。
【００６１】
一方、スライドガイド３４が上記初期位置から上記案内位置（図２及び図５（Ｃ）参照）へスライドされると、スライドガイド３４の後端部３４Ａが給紙アーム２６に接触して、給紙アーム２６を上方へ押し上げる。これにより、給送ローラ２５が、スライドガイド３４上に配置される。給送ローラ２５がスライドガイド３４上に配置されると、給送ローラ２５は反転搬送路６７を通ってスライドガイド３４の上面に案内された記録用紙の上面に当接する。この状態で、給送ローラ２５が回転されると、スライドガイド３４の上面で支持された記録用紙が湾曲路６５Ａへ向けて給紙される。また、上記初期位置から上記案内位置へのスライド過程において、第１回転子１０７及び第２回転子１０８も上方へ押し上げられて、スライドガイド３０上に配置される（図５（Ｃ）参照）。
【００６２】
［検知機構１００］
検知機構１００は、メイントレイ２０に収容された記録用紙のサイズを検知するためのものであり、図２に示されるように、光センサ１０２（本発明の光学センサの一例）と、回転盤１０５（本発明の検出体の一例）と、第１回転子１０７と、第２回転子１０８とを備える。なお、第１回転子１０７及び第２回転子１０８が本発明の回転体の一例であり、第１回転子１０７が本発明の第１回転子に相当し、第２回転子１０８が本発明の第２回転子に相当する。
【００６３】
給紙カセット７８の上方に支軸１１０が設けられている。支軸１１０は、ケーシング１４などに回転自在に支持されている。図４に示されるように、支軸１１０は、給紙カセット７８がケーシング１４に装着された状態で、メイントレイ２０の幅方向、つまり、記録用紙の給紙方向に直交する方向へ延びている。支軸１１０の一方の端部１１０Ａはメイントレイ２０の側板５５を越えて外側へ出ており、他方の端部１１０Ｂは上記幅方向の中央側へ延びている。
【００６４】
回転盤１０５は円盤状に形成された板状部材からなる。回転盤１０５の中心部が支軸１１０の端部１１０Ａに固定されている。これにより、支軸１１０が回転すると、この回転動作に連動して回転盤１０５も側板５５の外側で回転する。回転盤１０５は、光学センサ１０２から発光される光を反射可能な素材で構成されている。回転盤１０５の外周縁には、複数の開口１１３，１１５，１１７（図５参照）が形成されている。これらの開口１１３，１１５，１１７は、支軸１１０を中心とする回転盤１０５の回転方向（本発明の移動方向に相当）に沿って所定間隔を隔てて配置されている。このため、本実施形態では、開口１１３と開口１１５との間に遮光部１１４が形成され、開口１１５と開口１１７との間に遮光部１１６が形成され、これら遮光部１１４，１１６も回転盤１０５の回転方向に沿って所定間隔を隔てて配置されている。なお、遮光部１１４が本発明の第１遮光部の一例であり、遮光部１１６が本発明の第２遮光部の一例である。
【００６５】
光センサ１０２は、光を出射する発光素子１０３（本発明の発光素子の一例）と、発光素子１０３からの光を受光可能な受光素子１０４（本発明の受光素子の一例）とを有するフォトインタラプタ等の透過型のセンサである。光センサ１０２は、リード線などで制御部１３０に電気的に接続されている。受光素子１０４から出力される電気信号は、リード線を通って制御部１３０に電送される。本実施形態では、制御部１３０は、受光素子１０４からの電気信号の波形（図８参照）に基づいて、後述するようにメイントレイ２０に収容されている記録用紙のサイズを判定する。
【００６６】
図４に示されるように、発光素子１０３と受光素子１０４は互いに対向するように配置されている。光センサ１０２は、発光素子１０３と受光素子１０４との間のギャップ部に回転盤１０５の外周縁が配置される位置に設けられている。このため、発光素子１０３から出射された光は回転盤１０５の外周縁へ向かって進み、この外周縁に設けられた開口１１３，１１５，１１７（図５参照）を通り抜けて受光素子１０３に受光されるか、又は遮光部１１４，１１６（図５参照）によって遮断される。
【００６７】
支軸１１０には、第１回転子１０７及び第２回転子１０８が固定されている。したがって、支軸１１０が回転すると、この回転動作に連動して第１回転子１０７及び第２回転子１０８も回転する。第１回転子１０７及び第２回転子１０８は、支軸１１０からメイントレイ２０へ向けて後方側へ傾斜するように延びる棒状の部材からなる。これらの回転子１０７，１０８は、メイントレイ２０に収容された記録用紙の有無、及び収容された記録用紙のサイズを検知する役割を担う。本実施形態では、第１回転子１０７は、Ａ４サイズの記録用紙の有無の判定及びＡ４サイズの検知の役割を担い、第２回転子１０８は、Ａ３サイズの記録用紙の有無及びＡ３サイズの検知の役割を担う。回転子１０７，１０８は、各役割に適した形状に形成されている。
【００６８】
図４に示されるように、第１回転子１０７及び第２回転子１０８は、それぞれ、メイントレイ２０の上方に配置されている。本実施形態では、支軸１１０において、第１回転子１０７は端部１１０Ｂ側に固定されており、第２回転子１０８は端部１１０Ａ側に配置されており、支軸１１０の延出方向に隔てられている。本実施形態では、第１回転子１０７は、メイントレイ２０におけるＡ４用紙の収容領域に対応する位置、つまり、Ａ４用紙の収容領域の上方に配置されている。具体的には、スライドガイド３４が初期位置にある時にスライドガイド３４によって干渉されない二点鎖線（図４参照）で囲まれた領域Ｐ１の上方に配置されている。また、第２回転子１０８は、メイントレイ２０におけるＡ４用紙の収容領域外（非収容領域）とＡ３用紙の収容領域とが重なる領域に対応する位置に配置されている。具体的には、スライドガイド３４が初期位置にある時にスライドガイド３４によって干渉されない二点鎖線（図４参照）で囲まれた領域Ｐ２の上方に配置されている。
【００６９】
図５（Ｂ）及び（Ｃ）に示されるように、第１回転子１０７及び第２回転子１０８は、所定角度だけ支軸１１０の回転方向にずらされた状態で支軸１１０に固定されている。具体的には、第１回転子１０７は第２回転子１０８よりも後方側へ所定角度だけずれている。また、図５（Ｃ）に示されるように、メイントレイ２０に記録用紙が収容されていない状態では、第１回転子１０７の先端が溝１２６に入り込んでおり、第２回転子１０８の先端が溝１２７に入り込んでいる。
【００７０】
［スライドガイド３４の準備動作］
以下、図５から図８を参照して、複合機１０に電源が投入されたときにスライドガイド３４に対して行われる準備動作と、準備動作時における検知機構１００の動きについて詳細に説明する。
【００７１】
図５は、メイントレイ２０に記録用紙が収容されていないときの検知機構１００の状態を示す図である。図５（Ａ）には、検知機構１００の平面図が示されている。また、図５（Ｂ）にはスライドガイド３４が初期位置に配置されたときの模式断面図が示されており、図５（Ｃ）にはスライドガイド３４が案内位置に配置されたときの模式断面図が示されている。
【００７２】
メイントレイ２０に記録用紙が収容されていない状態において、電源投入後にスライドガイド３４の準備動作が行われて、スライドガイド３４が図５（Ｂ）に示されるように初期位置に配置されると、第１回転子１０７の先端が溝１２６に入り込み、第２回転子１０８の先端が溝１２７に入り込んだ状態で各回転子１０７，１０８は静止する。このとき、支軸１１０も静止している。また、回転盤１０５は、開口１１３が光センサ１０２のギャップ部に配置された状態で静止する。この状態では、光センサ１０２の発光素子１０３から出射された光は遮断されずに開口１１３を通って受光素子１０４へ到達する。そのため、制御部１３０は、受光素子１０４からＨＩレベル（ＯＦＦ）の信号（以下「ＯＦＦ信号」という。）を受信する。図８（Ａ）に示されるように、電源投入時Ｔ１における光センサ１０２の出力信号がＯＦＦの場合は、制御部１３０はメイントレイ２０に記録用紙が収容されていないと判断する。この場合、スライドガイド３４に対する準備動作が中断されて、複合機１０が備える図示しない表示部に、記録用紙が存在しないことを示す情報が出力される。
【００７３】
図６は、Ａ４サイズの記録用紙（Ａ４用紙）Ｓ１がメイントレイ２０に収容されたときの検知機構１００の状態を示す図である。図６（Ｂ）にはＡ４用紙Ｓ１が１枚だけ収容されたときの模式断面図が示されており、図６（Ｃ）にはＡ４用紙Ｓ１が満載されたときの模式断面図が示されている。Ａ４用紙Ｓ１が収容されたメイントレイ２０がケーシング１４に装着されると、メイントレイ２０内のＡ４用紙Ｓ１の上面に第１回転子１０７が持ち上げられる。このとき、回転盤１０５は、遮光部１１４が光センサ１０２のギャップ部に配置される位置（本発明の第１回転位置に相当）まで回転する。なお、本実施形態では、Ａ４用紙Ｓ１の収容枚数にかかわらず、メイントレイ２０に１枚でもＡ４用紙Ｓ１が収容されていれば、遮光部１１４が上記ギャップ部に配置されるように第１回転子１０７や遮光部１１４などの位置や形状が設計されている。
【００７４】
この状態において、電源投入後にスライドガイド３４の準備動作が行われて、スライドガイド３４が図６（Ｂ）に示されるように初期位置に配置されると、第１回転子１０７はＡ４用紙Ｓ１によって持ち上げられて溝１２６から脱出する。そして、第１回転子１０７は、Ａ４用紙Ｓ１の上面に当接した状態で静止する。また、回転盤１０５は、遮光部１１４が光センサ１０２のギャップ部に配置された状態で静止する。この状態では、光センサ１０２の発光素子１０３から出射された光は遮断されているため、制御部１３０は、受光素子１０４からＬＯＷレベル（ＯＮ）の信号（以下「ＯＮ信号」という。）を受信する。図８（Ｂ）に示されるように、電源投入時Ｔ１における光センサ１０２の出力信号がＯＮの場合は、制御部１３０はメイントレイ２０に記録用紙が収容されていると判断する。
【００７５】
その後、更にスライドガイド３４の準備動作が継続されて、スライドガイド３４が初期位置から案内位置へ移動される。このとき、スライドガイド３４の後端部３４Ａによって第２回転子１０８が後方へ押されることにより、第１回転子１０７及び第２回転子１０８が図６（Ｂ）の時計方向へ回転し、これに伴い支軸１１０及び回転盤１０５も同方向へ回転する。そして、図５（Ｃ）に示されるように、第２回転子１０８がスライドガイド３４の上面に乗り上げると、第１回転子１０７、第２回転子１０８、支軸１１０、回転盤１０５の回転動作が止まる。このとき、回転盤１０５は、開口１１７が光センサ１０２のギャップ部に配置された状態で静止する。つまり、回転盤１０５の回転に伴って、遮光部１１４、開口１１５、遮光部１１６が光センサ１０２のギャップ部を通過する。このため、制御部１３０は、図８（Ｂ）に示されるように、時間の経過とともに光センサ１０２の出力信号がＯＮの状態からＯＦＦ→ＯＮ→ＯＦＦと変化したことを検知する。制御部１３０では、このような信号変化に対してＡ４サイズを示す情報が予め内部メモリに割り当てられており、したがって、制御部１３０は、図８（Ｂ）に示される信号変化に基づいて、メイントレイ２０に収容されている記録用紙のサイズを「Ａ４サイズ」と判定する。
【００７６】
図７は、Ａ３サイズの記録用紙（Ａ３用紙）Ｓ２がメイントレイ２０に収容されたときの検知機構１００の状態を示す図である。図７（Ｂ）にはＡ３用紙Ｓ２が１枚だけ収容されたときの模式断面図が示されており、図７（Ｃ）にはＡ３用紙Ｓ２が満載されたときの模式断面図が示されている。Ａ３用紙Ｓ２が収容されたメイントレイ２０がケーシング１４に装着されると、メイントレイ２０内のＡ３用紙Ｓ２の上面に第２回転子１０８が持ち上げられる。このとき、回転盤１０５は、遮光部１１４が光センサ１０２のギャップ部を通過して遮光部１１６が上記ギャップ部に配置される位置（本発明の第２回転位置に相当）まで回転する。なお、本実施形態では、Ａ３用紙Ｓ３の収容枚数にかかわらず、メイントレイ２０に１枚でもＡ３用紙Ｓ２が収容されていれば、遮光部１１６が上記ギャップ部に配置されるように第２回転子１０８や遮光部１１６などの位置や形状が設計されている。
【００７７】
この状態において、電源投入後にスライドガイド３４の準備動作が行われて、スライドガイド３４が図７（Ｂ）に示されるように初期位置に配置されると、第２回転子１０８はＡ３用紙Ｓ２によって持ち上げられて溝１２７から脱出する。そして、第２回転子１０８は、Ａ３用紙Ｓ２の上面に当接した状態で静止する。また、回転盤１０５は、遮光部１１６が光センサ１０２のギャップ部に配置された状態で静止する。この状態では、光センサ１０２の発光素子１０３から出射された光は遮断されているため、制御部１３０は、受光素子１０４からＬＯＷレベル（ＯＮ）の信号（以下「ＯＮ信号」という。）を受信する。図８（Ｃ）に示されるように、電源投入時Ｔ１における光センサ１０２の出力信号がＯＮの場合は、制御部１３０はメイントレイ２０に記録用紙が収容されていると判断する。
【００７８】
その後、更にスライドガイド３４の準備動作が継続されて、スライドガイド３４が初期位置から案内位置へ移動される。このとき、スライドガイド３４の後端部３４Ａによって第２回転子１０８が後方へ押されることにより、第１回転子１０７及び第２回転子１０８が図７（Ｂ）の時計方向へ回転し、これに伴い支軸１１０及び回転盤１０５も同方向へ回転する。そして、図５（Ｃ）に示されるように、第２回転子１０８がスライドガイド３４の上面に乗り上げると、第１回転子１０７、第２回転子１０８、支軸１１０、回転盤１０５の回転動作が止まる。このとき、回転盤１０５は、開口１１７が光センサ１０２のギャップ部に配置された状態で静止する。つまり、回転盤１０５の回転に伴って、遮光部１１６だけが光センサ１０２のギャップ部を通過する。このため、制御部１３０は、図８（Ｃ）に示されるように、時間の経過とともに光センサ１０２の出力信号がＯＮの状態からＯＦＦに変化したことを検知する。制御部１３０では、このような信号変化に対してＡ３サイズを示す情報が予め内部メモリに割り当てられており、したがって、制御部１３０は、図８（Ｃ）に示される信号変化に基づいて、メイントレイ２０に収容されている記録用紙のサイズを「Ａ３サイズ」と判定する。
【００７９】
［実施形態の効果］
上述したように、本実施形態では、メイントレイ２０における記録用紙の有無によって光センサ１０２の出力信号が異なるため、当該出力信号に基づいて制御部１３０はメイントレイ２０における記録用紙の有無を判定することができる。また、複合機１０の電源がＯＦＦにされた状態で記録用紙が交換されたとしても、電源投入時にスライドガイド３４を準備動作させることによって、当該準備動作の際に光センサ１０２から出力される信号の状態の変化に基づいて、制御部１３０はメイントレイ２０に収容された記録用紙のサイズを判定することができる。このように、本実施形態の複合機１０は、検知手段として唯一の光センサ１０２を有する極めて簡易な検知機構１００を有しているため、電源ＯＦＦ時に記録用紙が交換されたとしても、コストアップを伴わずに、記録用紙の有無とそのサイズを正確に判定することが可能である。
【００８０】
［実施形態の変形例］
なお、上述の実施形態では、回転盤１０５を回転させる手段として、スライドガイド３４に対して準備動作をさせることとしたが、例えば、スライドガイド３４を用いずに、支軸１１０に直接回転力を付与して、上述の同様に範囲内で回転盤１０５を回転させてもよい。
【００８１】
また、上述の実施形態では、本発明の検出体の一例としての回転盤１０５を用いることとしたが、第１回転子１０７及び第２回転子１０８の回転位置に応じて光センサ１０２の光路を遮断可能な遮光部１１４及び遮光部１１６を有するものであれば、いかなる形状のものでも採用可能である。
【００８２】
また、支軸１１０の回転運動を直線運動に変換させる機構（例えばラック−ピニオン機構）を用いることにより、上述の実施形態の回転盤１０５に代えて、支軸１１０の回転動作に連動して直線的に動作する検出体を採用することも可能である。この場合、検出体が高さ方向に嵩張らないので、複合機１０の薄型化を実現することができる。
【００８３】
また、上述の実施形態では、メイントレイ２０に記録用紙を有しない給紙カセット７８がケーシング１４に装着された状態において、開口１１３を光センサ１０２のギャップ部に配置することとしたが、例えば、給紙カセット７８がケーシング１４から脱抜されたときに、開口１１３が光センサ１０２のギャップ部に配置するように回転盤１０５を構成してもよい。なお、このときの回転盤１０５の位置が本発明の第３回転位置に相当する。この場合、制御部１３０は、電源投入時の光センサ１０２からのＯＮ信号に基づいて、ケーシング１４に給紙カセット７８が装着されていないと判断することが可能となる。
【００８４】
また、上述の実施形態では、本発明の回転体の一例として第１回転子１０７及び第２回転子１０８を用いたが、図９に示されるように、これらの回転子１０７，１０８に代えて、１つの回転プレート１２０を採用する変形例も考えられる。ここに、図９は、回転プレート１２０の周辺機構を説明するための模式図であり、図９（Ａ）にはサイドガイド６９がＡ３サイズに対応する位置に配置されたときの部分平面図が示めされており、図９（Ｂ）にはサイドガイド６９がＡ４サイズに対応する位置に配置されたときの部分平面図が示されている。また、図９（Ｃ）には、回転プレート１２０の側面図が示されている。なお、図９（Ｃ）では、図９（Ｂ）の状態の回転プレート１２０が破線で示されている。
【００８５】
回転プレート１２０は、回転子１０７，１０８と同様に、支軸１１０に固定されており、また、メイントレイ２０へ向けて延出されている。また、サイドガイド６９の垂直壁７０の外側面に突起片１２２（本発明の第１支持部の一例）が設けられている。突起片１２２は、垂直壁７０の上端部７０Ａ（本発明の第２支持部の一例）よりも低い位置で上記外側面から外側へ突出している。この変形例では、給紙カセット７８がケーシング１４に装着された状態で、図９（Ａ）に示されるようにサイドガイド６９がＡ３サイズに対応する位置に配置されたときに、回転プレート１２０の下端が垂直壁７０の上端部７０Ａに支持される。また、図９（Ｂ）に示されるように、サイドガイド６９がＡ４サイズに対応する位置に配置されたときに、突起片１２２に回転プレート１２０の側端部が支持される。このような回転プレート１２０が用いられた場合は、メイントレイ２０に少なくとも１枚の記録用紙が収容されて、その記録用紙に対応する位置にサイドガイド６９が配置されることによって、記録用紙のサイズに応じて回転プレート１２０が回転し、それに連動して回転盤１０５が回転する。このような回転プレート１２０が用いられた場合でも、少なくとも１枚の記録用紙が収容されていれば、制御部１３０は、上述した実施形態と同様に、記録用紙のサイズを判定可能である。
【符号の説明】
【００８６】
１０・・・複合機
１１・・・プリンタ部
２０・・・メイントレイ
２４・・・記録部
３０・・・排紙保持面
３４・・・スライドガイド
６５・・・搬送路
６７・・・反転搬送路
７８・・・給紙カセット
１００・・・検知機構Ｋ
１０２・・・光センサ
１０５・・・回転盤
１０７・・・第１回転子
１０８・・・第２回転子
１１０・・・支軸
１１３，１１５，１１７・・・開口
１１４，１１６・・・遮光部
１２０・・・回転プレート
１２２・・・突出片
１３０・・・制御部
【図１】
2011068446.tif 000003
【図２】
2011068446.tif 000004
【図３】
2011068446.tif 000005
【図４】
2011068446.tif 000006
【図５】
2011068446.tif 000007
【図６】
2011068446.tif 000008
【図７】
2011068446.tif 000009
【図８】
2011068446.tif 000010
【図９】
2011068446.tif 000011